(57)【要約】凝縮帯域が紡糸機の延伸装置の下流に配置され、この凝縮帯域で延伸されているが未だ撚りなしの繊維ストランドが凝縮される。空気透過性輸送ベルトが繊維ストランドを凝縮帯域を通して輸送する役目をし、この輸送ベルトは吸引スリットを含むスライド表面の上をスライドする。凝縮帯域の終わりはスライド表面上に配置されたニップローラーにより決定される。延伸装置の前方ローラー対の加圧ローラーが輸送ベルトを駆動しかつそれをスライド表面に押圧する。【選択図】図１
2004512434.tif 000002
【特許請求の範囲】
【請求項１】
繊維ストランドを凝縮するための紡糸機の装置であって、それが延伸装置の前方ローラー対の下流に配置された凝縮帯域を含み、繊維ストランドを凝縮帯域を通して輸送する空気透過性輸送ベルトを含み、凝縮帯域に配置された吸引チャネルを含み、この吸引チャネルはスライド表面上で輸送ベルトを案内するものであり、更にスライド表面内に配置された吸引スリットを含み、凝縮帯域の終わりのニップローラーを含み、このニップローラーが繊維ストランドを輸送ベルトに対してかつ輸送ベルトをスライド表面に対して押圧するものであり、更にまた輸送ベルトを駆動する摩擦駆動を含み、前記摩擦駆動が駆動底シリンダーとそれに対して押圧された加圧ローラーからなる前方ローラー対のローラーから駆動されているものにおいて、摩擦駆動に対して配置された前方ローラー対（２）のローラー（７）が輸送ベルト（１２）を駆動しかつそれをスライド表面（１３）に対して押圧することを特徴とする装置。
【請求項２】
摩擦駆動に対して配置されたローラーが前方ローラー対（２）の加圧ローラー（７）であることを特徴とする請求項１に記載の装置。
【請求項３】
加圧ローラー（７）が底シリンダー（６）とスライド表面（１３）上に異なる圧力で配置されることを特徴とする請求項２に記載の装置。
【請求項４】
ニップローラー（１７）が中間ギヤ（２１）を介して加圧ローラー（７）により追加的に駆動されることを特徴とする請求項１から３のいずれか一つに記載の装置。
【発明の詳細な説明】
【０００１】
発明の背景及び概要
本発明は繊維ストランドを凝縮するための紡糸機の装置に関し、それは延伸装置の前方ローラー対の下流に配置された凝縮帯域を含み、凝縮帯域を通して繊維ストランドを輸送する空気透過性輸送ベルトを含み、凝縮帯域に配置された吸引チャネルを含み、この吸引チャネルがスライド表面上で輸送ベルトを案内するものであり、更にスライド表面内に配置された吸引スリットを含み、凝縮帯域の終わりにニップローラーを含み、このニップローラーが繊維ストランドを輸送ベルトに対してかつ輸送ベルトをスライド表面に対して押圧するものであり、更にまた輸送ベルトを駆動する摩擦駆動を含み、前記摩擦駆動は駆動底シリンダーとそれに対して押圧された加圧ローラーからなる前方ローラー対のローラーから駆動されている。
【０００２】
延伸された繊維ストランドが延伸装置の前方ローラー対の直ぐ下流で紡糸撚りを与えられるとき、いわゆる紡糸三角形が前方ローラー対のニップラインで起こる。これは延伸された繊維ストランドがある幅を持つ延伸装置を離れて比較的小さな直径を持つ糸に撚られるために発生する。紡糸三角形は側繊維を含み、これらは撚られた糸中に適正に結合されず従って紡糸された糸の引張強度に殆どまたは全く寄与しない。近時、凝縮帯域が延伸装置の延伸帯域の下流に配置されており、この凝縮帯域は逆にニップラインにより境界付けられている。その下流でのみ糸はその紡糸撚りを与えられる。繊維は凝縮帯域内で束ねられまたは凝縮され、それにより繊維ストランドはそれが最も下流のニップラインを離れるときに細いので恐れる紡糸三角形は起こらない。紡糸された糸はそのときより均一で、引裂抵抗性でけば立ちが少ない。
【０００３】
非常に種々の凝縮帯域が繊維ストランドを凝縮する役目をし、更に上述の形式の装置が過去に立証された。この形式の装置は一方ではドイツ公開特許出願１９９１１３３３で他方ではドイツ公開特許出願１９８３７１８１で知られている。両装置の場合において、空気透過性輸送ベルトは延伸装置の前方ローラー対から駆動されている摩擦駆動により駆動される。
【０００４】
ドイツ公開特許出願１９９１１３３３の装置において、ニップローラーは輸送ベルトの駆動の役目をする。ニップローラーは逆に駆動ベルトを介して前方ローラー対の加圧ローラーにより駆動される。
【０００５】
対照的に、ドイツ公開特許出願１９８３７１８１の装置の場合において、ニップローラーは輸送ベルトにより駆動され、輸送ベルトは逆に延伸装置の前方ローラー対の底シリンダーに輪掛けされる。
【０００６】
ドイツ公開特許出願１９９１１３３３の摩擦駆動の場合において、延伸装置の前方ローラー対の加圧ローラーにおいて並びにニップローラーにおいて摩擦対が存在する。これは前方ローラー対の周速に対応しない輸送ベルトの速度をもたらすことができる。ドイツ公開特許出願１９８３７１８１の摩擦駆動の場合において、輸送ベルトの駆動は輸送ベルトによる前方ローラー対の底シリンダーの輪掛けのため、速度移転に関して実に非常に正確であるが、輸送ベルトは前方ローラー対のニップ圧力により重みを掛けられる。しかし、ニップ圧力はそれが延伸装置の主延伸帯域を境界付けるので、輸送ベルトの駆動のために必要なものより極めて高い。
【０００７】
本発明の目的は輸送ベルトのための延伸装置の前方ローラー対から駆動される摩擦駆動を作ることにあり、そこでは輸送ベルトの速度は前方ローラー対の周速にできるだけ近いように適合させられ、更に不必要に高いレベルのニップ圧力が輸送ベルト上に働かない。
【０００８】
この目的は本発明により摩擦駆動に配置された前方ローラー対のローラーが輸送ベルトを駆動し、それをスライド表面に押圧することにより達成された。
【０００９】
この実施例において、前方ローラー対の周速は更なる摩擦を構成する如何なる中間ギヤなしで輸送ベルトに直接移転され、それにより加えて輸送ベルトは前方ローラー対のニップ圧力にさらされない。また今や凝縮工程に影響する吸引スリットが駆動ローラーの駆動ニップラインから凝縮帯域を境界付けるニップローラーのニップラインまで延びることができる。摩擦駆動に配置されたローラーが前方ローラー対の加圧ローラーであるとき、ドイツ公開特許出願１９９１１３３３の立証された設計の基本的実施例が維持されることができる。
【００１０】
この発明の一実施例において、一方では加圧ローラーがそれに配置された底シリンダー上に及びスライド表面上に種々のニップ圧力を持って配置されることを可能とする。従ってより大きなニップ圧力に対する延伸装置のドラフトの要求と比較的低いニップ圧力に対する輸送ベルトの摩擦駆動の要求との折合いがつく。変化するニップ圧力は加圧ローラーに負荷する重み付けばねの幾何学的配置により達成されることができる。
【００１１】
本発明による非常に直接的な摩擦駆動にもかかわらず、なお追加的にニップローラーを加圧ローラーから中間ギヤを介して駆動することができる。輸送ベルトは従って二点で、すなわち直接的に延伸装置の前方ローラー対のローラーにより、及び中間ギヤを介してニップローラーにより、積極的に駆動される。中間ギヤの場合において、歯付きベルト駆動または歯付きホイール駆動が含まれることができる。
【００１２】
図面の簡略説明
本発明のこれらの及び更なる目的、特徴及び利点は添付図面に関してなされる以下のその詳細な説明からより容易に明らかとなるであろう。図面において：
図１は本発明による凝縮のための装置の輸送ベルトの摩擦駆動の部分的断面側面図であり、
図２は実際の凝縮帯域の図１の矢印ＩＩの方向の図である。
【００１３】
図面の詳細な説明
紡糸機、特にリング紡糸機の、各紡糸ステーションに配置された延伸装置１の終端領域のみが図１と２に示されている。延伸装置１の前方ローラー対２、並びにその上流に配置された底エプロン４と上エプロン５を含むエプロンローラー対３を見ることができる。前方ローラー対２は連続的に機械の縦方向に延びる駆動底シリンダー６並びに各紡糸ステーションに配置された加圧ローラー７を含む。
【００１４】
延伸装置１内でスライバまたはロービング８が既知の方法で輸送方向Ａに希望の繊度に延伸される。延伸装置１の延伸帯域は前方ローラー対２の前方ニップライン９で終わる。
【００１５】
前方ニップライン９の下流に延伸されているがまだ撚りのない繊維ストランド１０が存在し、これは上述の理由のため凝縮されまたは束ねられるべきである。延伸装置１の直ぐ下流で、繊維ストランド１０は凝縮帯域１１を通して案内され、そこで繊維ストランド１０はその繊維の横方向集合により狭くなり、従って紡糸撚りが更に下流で与えられるとき、上述の恐れる紡糸三角形は起きない。
【００１６】
空気透過性輸送ベルト１２は凝縮される繊維ストランド１０を凝縮帯域１１を通して輸送する役目をし、この輸送ベルト１２上に繊維ストランド１０は吸引空気流により保持される。輸送ベルト１２は有利には目の細かい微細フィラメント糸から織られており従って既に空気透過性である織られたベルトからなり、従って輸送ベルト１２内に穿孔が作られる必要がない。
【００１７】
輸送ベルト１２は凝縮帯域１１の領域内でスライド表面１３上を案内され、このスライド表面は複数の紡糸ステーションに沿って延びる吸引チャネル１４の外部輪郭により形成される。吸引チャネル１４は中空異形材として設計され、その中に減圧が存在する。吸引チャネル１４の内側は複数の紡糸ステーションに配置された減圧導管１５を介して減圧源（図示せず）に連結される。吸引スリット１６がスライド表面１３内に設けられ、この吸引スリット１６は輸送ベルト１２の移動方向に対してわずかに斜めに配置されており、凝縮帯域１１の終わりまで延びる。繊維ストランド１０は凝縮時に吸引スリット１６のわずかに斜めの配置の結果として追加的な軽い偽撚りを受ける。
【００１８】
吸引チャネル１４はそれが同時に輸送ベルト１２のための引張り要素としての役目をするような方法でその輪郭を設計される。
【００１９】
ニップローラー１７は凝縮帯域１１内の紡糸撚りを妨害し、このニップローラー１７は前記凝縮帯域１１の出口側をニップライン１８により境界付け、このニップラインまで吸引スリット１６は延びる。ニップローラー１７は繊維ストランド１０を輸送ベルト１２に対して押圧しかつ同時に輸送ベルト１２をスライド表面１３に対して押圧する。
【００２０】
ニップライン１８の直ぐ下流で作られた糸１９はその紡糸撚りを受け、その時それは送出方向Ｂに撚り装置、例えばリングスピンドルに供給される。
【００２１】
ニップライン１８は撚り妨害として作用し、従って紡糸撚りは凝縮帯域１１中に遡及しない。
【００２２】
輸送ベルト１２は摩擦駆動により駆動され、この摩擦駆動は本発明により前方ローラー対２のローラー、図示の場合加圧ローラー７から引き出される。加圧ローラー７は、延伸装置１の前方ニップライン９の直ぐ下流に更なるニップライン、いわゆる駆動ニップライン２０を持って、スライド表面１３上に配置され、それにより繊維ストランド１０は輸送ベルト１２に対してかつ輸送ベルト１２はスライド表面１３に対して押圧される。駆動ニップライン２０でのニップ圧力は前方ニップライン９でのニップ圧力より極めて低くすることができる。加圧ローラー７による直接摩擦駆動のため、前方ローラー対２の周速は直接輸送ベルト１２に移転され、それにより吸引スリット１６がちょうどニップローラー１７にまでのみならず加圧ローラー７にまでも延びることができるという追加の利点が発生する。
【００２３】
本発明による説明された摩擦駆動はニップローラー１７が追加的に中間ギヤ２１を介して加圧ローラー７により駆動されることができ、逆に追加的に輸送ベルト１２を駆動するという事実を排除しない。絶対的に必要ではない中間ギヤ２１は一点鎖線によってのみ示されており、かつ歯付きベルトまたは歯付きホイールの組合せを含むことができる。
【図面の簡単な説明】
【図１】
本発明による凝縮のための装置の輸送ベルトの摩擦駆動の部分的断面側面図である。
【図２】
実際の凝縮帯域の図１の矢印ＩＩの方向の図である。
【図１】
2004512434.tif 000003
【図２】
2004512434.tif 000004
【国際公開パンフレット】
2004512434.tif 000005
2004512434.tif 000006
2004512434.tif 000007
2004512434.tif 000008
2004512434.tif 000009
2004512434.tif 000010
2004512434.tif 000011
2004512434.tif 000012
2004512434.tif 000013
2004512434.tif 000014
2004512434.tif 000015
【国際調査報告】
2004512434.tif 000016
2004512434.tif 000017
2004512434.tif 000018
2004512434.tif 000019